(57)【要約】      （修正有）【課題】簡単な作業で複数の異形鉄筋を所定の位置で保持して鉄筋構造物を組み立てることができ、均質の物を確実に、容易に製造でき、正確なサイズの鉄筋構造物を製造できることでかぶり厚さを均等にでき、強度に優れ、また、溶接を行わないので強度低下を防ぐことができると共に、作業場所を選ばず、天候の影響を受けない施工性に優れた鉄筋固定具及びそれを用いて得られた鉄筋固定構造を提供する。【解決手段】多角形に形成された鉄筋固定具１Ａであって、多角形の各角部に異形鉄筋の嵌合部２を備える。【選択図】図１
0003189073.tif 000002
【実用新案登録請求の範囲】
【請求項１】
多角形に形成された鉄筋固定具であって、前記多角形の各角部に異形鉄筋の嵌合部を備えたことを特徴とする鉄筋固定具。
【請求項２】
前記多角形が正多角形であることを特徴とする請求項１に記載の鉄筋固定具。
【請求項３】
前記多角形が四角形であって、対角線上に２分割し、前記対角線上の各々の端部と、頂部の内側と、に前記嵌合部を備えたことを特徴とする請求項１に記載の鉄筋固定具。
【請求項４】
請求項１乃至３の内いずれか１に記載の鉄筋固定具と、前記鉄筋固定具の前記嵌合部に嵌合された異形鉄筋と、を備えたことを特徴とする鉄筋固定構造。
【考案の詳細な説明】
【技術分野】
【０００１】
本考案は、疑木、柵、杭、柱等の鉄筋構造物の製造に使用される鉄筋固定具及びそれを用いて得られた鉄筋固定構造に関するものである。
【背景技術】
【０００２】
従来、疑木、柵、柱、杭等の鉄筋構造物を製造する場合、垂直方向に長手方向を配置した複数本の異形鉄筋を上面からみて多角形を形成するように並べ、その外周を囲繞させて多角形のフープ筋（帯筋）を長手方向に所定の間隔をおいて溶接又は結束線で結束することで固定し鉄筋構造物を形成している。しかし、その場合は現場作業の効率が煩雑で、異形鉄筋がきちんと揃わない等、生産性に欠けていた。
このような課題を解決するために、例えば、（特許文献１）には、四隅の主筋受部に主筋の端部を溶着する接続金属を用いることが開示されている。
【先行技術文献】
【特許文献】
【０００３】
【特許文献１】特開平４‐３０２６４３
【考案の概要】
【考案が解決しようとする課題】
【０００４】
しかしながら上記従来の技術においては、以下のような課題を有していた。
（１）（特許文献１）に開示の技術は、四隅の主軸受部に主筋の端部を溶着する際に接続金属を用いているが、溶接と結束線で組み立てているので、溶接の際に位置や間隔がずれると、やり直すのに手間がかかり、作業性に欠け生産性に劣るという課題を有していた。
（２）溶接による固定は異形鉄筋間の間隔に誤差が生じ易く、誤差のある鉄筋構造物で疑木や柵を製造した場合、被り厚さが均等にならないので強度が悪くなるという課題を有していた。
（３）溶接を必要とするので、作業場所が限られると共に、屋外で作業をする場合、天候の影響を受けるという課題を有していた。
【０００５】
本考案は上記従来の課題を解決するもので、簡単な作業で複数の異形鉄筋を所定の位置で保持して鉄筋構造物を組み立てることができ、均質の物を確実に、容易に製造できる。正確なサイズの鉄筋構造物を製造することができるのでかぶり厚さを均等にすることができ、強度に優れる。また、溶接を行わないので強度低下を防ぐことができると共に、作業場所を選ばず、天候の影響を受けない施工性に優れた鉄筋固定具及びそれを用いて得られた鉄筋固定構造を提供することを目的とする。
【課題を解決するための手段及びそれによって得られる作用、効果】
【０００６】
上記課題を解決するために本考案の鉄筋固定具は以下の構成を有している。
本考案の請求項１に記載の鉄筋固定具は、多角形に形成された鉄筋固定具であって、前記多角形の各角部に異形鉄筋の嵌合部を備えた構成を有している。
この構成により、以下のような作用、効果を有する。
（１）多角形の各角部に異形鉄筋の嵌合部を備えているので、嵌合部に異形鉄筋を嵌合させることで溶接することなく複数の異形鉄筋を正確な距離及び位置で保持して容易に鉄筋固定構造を組み立てることができ、作業効率に優れると共に施工時間を短縮することができる。
（２）また、安定して正確なサイズで鉄筋固定構造を製造することができるので、かぶり厚さを均等にすることができ、疑木や柵の強度に優れる。
（３）さらに、鉄筋固定具を用いることで溶接による強度低下を防ぐことができると共に、作業場所を選ばず、天候の影響も受けないため、生産性に優れる。
【０００７】
ここで、鉄筋固定具としては、３個以上の嵌合部を備え、その嵌合部が多角形の各角部（各頂部）に位置するように形成され、各嵌合部や多角形の各辺部には、強度を確保するため、リブを備えても良い。辺部の断面が、十字や、Ｃ形、Ｈ形、Ｔ型等になるようにリブを形成しても良い。
【０００８】
鉄筋固定具の材質としては、ポリエチレンやポリプロピレン、ポリスチレン等の合成樹脂が好適に用いられる。腐蝕が発生せず、軽量で量産性、取扱い性に優れるためである。尚、コンクリートとの相性から、セメント系や金属系、セラミック系の材質を用いてもよい。
【０００９】
嵌合部は、一部が開口した略Ｕ字状若しくは略Ｃ字状に形成する。嵌合部を薄肉で幅広に形成した場合、弾性変形し易く、異形鉄筋への嵌合が容易で施工性に優れる。嵌合部の嵌合開口部の両端には、外方に向けて徐々に広がるテーパ状や外向き円弧状等に形成された嵌合案内部を延設してもよい。嵌合案内部を異形鉄筋に当接させ、押圧することにより、容易に嵌合部に異形鉄筋を嵌合することができ、施工性を向上できる。
また、嵌合部の嵌合開口部に対向し、嵌合開口部から外方に向けて徐々に広がる一対の板ばね状の嵌合案内部を設けてもよい。鉄筋固定具に異形鉄筋を装着する際に、異形鉄筋により押圧された一対の板ばね状の嵌合案内部がそれぞれ左右に変形し、嵌合部の嵌合開口部から異形鉄筋が嵌合される。嵌合後には、嵌合案内部は弾性力により元の形状に復元するので、嵌合案内部により嵌合開口部を塞ぐことができ、衝撃等により鉄筋固定具が異形鉄筋から外れるのを防止できる。さらに、嵌合案内部の先端に異形鉄筋の外形に沿うように円弧状の当接部を形設した場合、嵌合部により確実に異形鉄筋を保持することができ、固定安定性に優れる。
【００１０】
鉄筋固定具の使用方法としては、例えば、四角形に形成された鉄筋固定具を用いて四角柱の鉄筋固定構造を製造する場合、所定の間隔をあけて鉄筋固定具に配置し、各鉄筋固定具の４つの嵌合部に異形鉄筋を嵌合し、４本の異形鉄筋を保持し、次いで鉄筋固定具と鉄筋固定具の間に１乃至複数のフープ筋（帯筋）を結束線で結束し固定することで鉄筋固定構造を簡単に製造することができる。
【００１１】
請求項２に記載の考案は、請求項１に記載の鉄筋固定具であって、前記多角形が正多角形である構成を有している。
この構成により、請求項１の作用、効果に加え、以下のような作用、効果を有する。
（１）正多角形で形成されているので、かぶり厚が簡単にとれ、疑木等の鉄筋構造物に用いられやすく、汎用性に優れる。
【００１２】
請求項３に記載の考案は、請求項１に記載の鉄筋固定具であって、前記多角形が四角形であって、対角線上に２分割し、前記対角線上の各々の端部と、頂部の内側と、に前記嵌合部を備えた構成を有している。
この構成により、請求項１の作用、効果に加え、以下のような作用、効果を有する。
（１）対角線上に２分割し、対角線上の各々の端部と、頂部の内側と、に嵌合部を備えた構成を有しているので、異形鉄筋にフープ筋を結束後に鉄筋固定部を取り除くことが可能で、鉄筋固定具を繰り返し利用することができるので、省資源性に優れる。
【００１３】
ここで、鉄筋固定具の使用方法としては、対角線上で２分割した鉄筋固定具を一組の鉄筋固定具として、一つ目の鉄筋固定具の端部嵌合部及び頂部嵌合部にそれぞれ異形鉄筋を嵌合し、次いで二つ目の鉄筋固定具の頂部嵌合部に異形鉄筋を嵌合し、次いで、二つ目の鉄筋固定具の端部嵌合部にそれぞれ、一つ目の鉄筋固定具の端部嵌合部に嵌合された異形鉄筋を嵌合し、４本の異形鉄筋を所定の位置に保持する。これを一組の鉄筋固定具として、異形鉄筋の長手方向に複数個所固定することで柱状の鉄筋構造を保持し、次いで一組の鉄筋固定具と他の一組の鉄筋固定具の間に１乃至複数のフープ筋を結束線で結束し固定することで、鉄筋固定構造を製造することができる。結束線を用いてフープ筋に結束した鉄筋固定構造からは鉄筋固定具を取り外すことができるので、鉄筋固定具を繰り返し利用することができる。
【００１４】
本考案の請求項４に記載の鉄筋固定構造は、請求項１乃至３の内いずれか１に記載の鉄筋固定具と、前記鉄筋固定具の前記嵌合部に嵌合された異形鉄筋と、を備えた構成を有している。
この構成により、以下のような作用、効果を有する。
（１）請求項１乃至３の内いずれかの鉄筋固定具と、鉄筋固定具の嵌合部に嵌合された異形鉄筋とを備えた構成を有しているので、溶接することなく複数の異形鉄筋を正確な距離及び位置で保持して、容易に鉄筋固定構造を製造することができ、生産性に優れる。
（２）安定して正確なサイズで鉄筋固定構造を製造することができるのでかぶり厚さを均等にすることができ、優れた強度の鉄筋固定構造を製造することができる。
（３）さらに、鉄筋固定具を用いて得られた鉄筋固定構造なので溶接による強度低下を防ぐことができると共に、作業場所を選ばず、天候の影響も受けないため、施工性に優れた鉄筋固定構造を提供することができる。
（４）鉄筋固定具が正多角形で形成されている場合、疑木等の鉄筋構造物を形成しやすく、汎用性に優れた鉄筋固定構造を提供することができる。
（５）対角線上に２分割し、対角線上の各々の端部と、頂部の内側と、に嵌合部を備えた構成を有しているものを用いた場合、異形鉄筋にフープ筋を結束後に鉄筋固定具を取り除くことが可能で、鉄筋固定具を繰り返し利用することができるので、省資源性及び生産性に優れた鉄筋固定構造を提供することができる。
【００１５】
鉄筋固定構造としては、〔００１０〕及び〔００１３〕欄の方法によって製造された鉄筋固定構造をいう。
【図面の簡単な説明】
【００１６】
【図１】実施の形態１における鉄筋固定具を示す模式平面図
【図２】実施の形態１における鉄筋固定具を示す模式側面図
【図３】実施の形態１の鉄筋固定具の使用方法を示す模式図
【図４】実施の形態２における鉄筋固定具を示す模式平面図
【図５】実施の形態３における鉄筋固定具を示す模式平面図
【図６】実施の形態４における鉄筋固定具を示す模式平面図
【図７】実施の形態４の鉄筋固定具の使用方法を示す模式図
【考案を実施するための形態】
【００１７】
（実施の形態１）
本考案の実施の形態１における鉄筋固定具について、以下図面を参照しながら説明する。
なお、本考案は以下に説明する実施の形態に限定されるものではない。
図１は実施の形態１における鉄筋固定具を示す模式平面図であり、図２は実施の形態１における鉄筋固定具を示す模式側面図である。
図１及び、図２中、１Ａはポリエチレン等で正四角形に形成された実施の形態１の鉄筋固定具、２は鉄筋固定具１Ａの正四角形の各角部に形成された鉄筋の嵌合部、３は辺部、４は嵌合部２の正四角形の各角部に外に向けて開口して形成された嵌合開口部、５は嵌合部の端部に異形鉄筋の装着が容易なように外方に向けて徐々に広がるテーパ状に形成された嵌合案内部、６Ａ，６Ｂは各辺部３の嵌合部２との接合部の内外に辺部３の幅方向と直交して形成されたリブである。
【００１８】
本実施の形態では、正方形に形成された鉄筋固定具１Ａについて説明するが、鉄筋固定具１Ａはこれに限定するものでは無く、長方形及び、ひし形等に形成されたものを用いても良い。また、嵌合開口部４についても、正方形の対角線上の外側に向かって形成する以外に、正方形の対角線上の内側に向かって形成したり、辺部と同一直線状に正方形の外側に向かって形成したりしてもよい。なお、正方形の外側に嵌合開口部を形成する場合、対角線上外向きを中心に左右に９０°づつ、１８０°の範囲で好適に形成することができる。
【００１９】
以上のように構成された実施の形態１における鉄筋固定具の使用方法について説明する。
図３は実施の形態１の鉄筋固定具の使用方法を示す模式図である。
図３中、７Ａは鉄筋固定具１Ａを使用して製造した鉄筋固定構造、８は鉄筋固定具１Ａに嵌合固定された異形鉄筋、９は鉄筋固定具１Ａと鉄筋固定具１Ａの間で異形鉄筋８を固定するために使用する番線で形成されたフープ筋、１０はフープ筋９と異形鉄筋８を結束線で結束固定された異形鉄筋８の結束部である。実施の形態１の鉄筋固定具１Ａを４本の異形鉄筋８の長手方向に数か所固定するため、鉄筋固定具１Ａの嵌合部２に異形鉄筋８を嵌合し、鉄筋固定具１Ａと鉄筋固定具１Ａの間に四角形のフープ筋９を番線で結束させ結束部１０を形成することで簡単に鉄筋固定構造７Ａを製造する。
【００２０】
以上のように実施の形態１における鉄筋固定具１Ａは構成されているので、以下のような作用、効果が得られる。
（１）正四角形の各角部に位置する異形鉄筋を嵌合する嵌合部を有しているので、溶接することなく複数の異形鉄筋を嵌合部に嵌合するだけで容易に鉄筋固定構造を組み立てることができ、作業効率に優れると共に施工時間を短縮することができる。
（２）安定して正確なサイズで鉄筋固定構造を製造することができるので不良品が無く生産性に優れると共に、かぶり厚さを均等にすることができ、疑木等の強度に優れる。
（３）鉄筋固定具を用いることで溶接による強度低下を防ぐことができると共に、作業場所を選ばず、天候の影響も受けないため、生産性に優れる。
【００２１】
また、以上の様に実施の形態１における鉄筋固定具１Ａを用いて得られた鉄筋固定構造７Ａは構成されているので、以下のような作用、効果が得られる。
（１）溶接をしていないので、機械的強度に優れる。複数の異形鉄筋を所定の距離関係で保持して容易に鉄筋固定構造を形成することができ、作業効率に優れると共に施工時間を短縮することができる。
（２）安定して正確なサイズの鉄筋固定構造を製造できる。これにより、かぶり厚さを均等にすることができ、強度に優れた疑木等の構造物を製造することができる。
【００２２】
（実施の形態２）
図４は実施の形態２における鉄筋固定具を示す模式平面図である。
図４中、１Ｂは実施の形態２における正三角形に形成された鉄筋固定具、６Ａ’は各辺部３の嵌合部２との接合部の内側に辺部３の幅方向と直交して形成された内側リブである。なお、図４において前記実施の形態１と同様の機能を有するものについて、同一の符号を付してその詳しい説明を省略している。
内側リブ６Ａ’は、肉厚に形成され、隣り合う辺部３と間の嵌合部２に跨り一体に形成されている。
【００２３】
本実施の形態では、隣り合う内側のリブが一体に形成されている内側リブ６Ａ’を備えた鉄筋固定具１Ｂについて説明するが、鉄筋固定具１Ｂはこれに限定するものでは無く、実施の形態１同様、各辺部３と嵌合部２との接合部に、辺部３の幅方向と直交して形成しても良い。
【００２４】
（実施の形態３）
図５は実施の形態３における鉄筋固定具を示す模式平面図である。
図５中、１Ｃは実施の形態３における正五角形に形成された鉄筋固定具であり、６Ａ”は各辺部３の嵌合部２との接合部の内側に辺部３の幅方向と直交して形成され、隣り合う各辺部のリブを介して一体に形成された内側リブである。なお、図５において前記実施の形態１と同様の機能を有するものについて、同一の符号を付してその詳しい説明を省略している。
【００２５】
本実施の形態では、内側のリブが一体に形成されている内側リブ６Ａ”を備えた鉄筋固定具１Ｃについて説明するが、鉄筋固定具１Ｂはこれに限定するものでは無く、実施の形態１又は実施の形態２と同様にして形成することもできる。
【００２６】
実施の形態２及び３に例示したように、正多角形の角部に嵌合部を備え、前記嵌合部を接合する辺部を備えるものであれば、多角形としては３つ以上の角部を備えるものであれば良い。
【００２７】
以上のように実施の形態２及び３における鉄筋固定具は構成されているので、実施の形態１と同様の作用、効果が得られる。
【００２８】
（実施の形態４）
図６は実施の形態４における鉄筋固定具を示す模式平面図である。
図６中、１Ｄは実施の形態４における中央で直角にＬ字状に連設され各辺部の長さが等しく形成された鉄筋固定具、２Ａ及び２Ｃは鉄筋固定具１Ｄの端部嵌合部、２Ｂは鉄筋固定具１Ｄの頂部嵌合部、３Ａ及び、３Ｂは辺部である。端部嵌合部２Ａ及び端部嵌合部２Ｃの嵌合開口部４は、それぞれ、各辺部３Ａ、３Ｂの仮想延長線上に対し交角１３５°で開いた位置に形成されている。頂部嵌合部２Ｂは辺部３Ａの仮想延長戦に対し交角４５°で開口した嵌合開口部４である。端部嵌合部２Ａ及び、頂部嵌合部２Ｂ、端部嵌合部２Ｃは、それぞれの嵌合開口部４が同一の方向に形成されている。
【００２９】
実施の形態４の鉄筋固定具１Ｄの使用方法を図７を用いて説明する。
鉄筋固定具１Ｄを２個セットで使用し、４本の異形鉄筋８を四角柱になるように嵌合する。これを長手方向に数か所固定し、鉄筋固定具１Ｄと鉄筋固定具１Ｄの間に四角形のフープ筋９を結束することで簡単に鉄筋固定構造７Ｂを形成することができる。このとき、フープ筋９を異形鉄筋８に結束した後、鉄筋固定具１Ｄは取り外すことができるので、鉄筋固定具１Ｄを繰り返し使用することができ、省資源性に優れる。
【００３０】
以上のように実施の形態４における鉄筋固定具１Ｄは構成されているので、実施の形態１乃至３の作用、効果に加え、以下のような作用、効果が得られる。
（１）対角線上に２分割し、対角線上の各々の端部に嵌合部を備えた構成を有し、異形鉄筋を結束後に鉄筋固定具を取り除くことが可能で、鉄筋固定具を繰り返し利用することができるので、省資源性に優れる。
【産業上の利用可能性】
【００３１】
本考案は、疑木等を製造する際に、異形鉄筋を用いて製造する鉄筋構造物を作業効率よく製造することができると共に、鉄筋固定具と鉄筋固定具の間にフープ筋に結束することで溶接が不要で、施工時間を短縮し、溶接による強度低下も防ぐことができる生産性と強度に優れた鉄筋固定具及びそれを用いて得られた鉄筋固定構造を提供することができる。また、作業場所を選ばず、天候の影響も受けない施工性に優れた鉄筋固定具及びそれを用いた鉄筋固定構造を提供することができる。
【符号の説明】
【００３２】
１Ａ  鉄筋固定具
１Ｂ  鉄筋固定具
１Ｃ  鉄筋固定具
１Ｄ  鉄筋固定具
２    嵌合部
２Ａ  端部嵌合部
２Ｂ  頂部嵌合部
２Ｃ  端部嵌合部
３    辺部
３Ａ  辺部
３Ｂ  辺部
４    嵌合開口部
５    嵌合案内部
６    リブ
６Ａ  内側リブ
６Ｂ  外側リブ
７    鉄筋固定構造Ａ
７    鉄筋固定構造Ｂ
８    異形鉄筋
９    フープ筋
１０  結束部
【図１】
0003189073.tif 000003
【図２】
0003189073.tif 000004
【図３】
0003189073.tif 000005
【図４】
0003189073.tif 000006
【図５】
0003189073.tif 000007
【図６】
0003189073.tif 000008
【図７】
0003189073.tif 000009